(57)【要約】      （修正有）【課題】給水タンクから圧力釜へ供給される水を濾すフィルタ部のメンテナンスが容易な理美容用スチーマを提供する。【解決手段】水を収容する給水タンク１と、給水管４を介し給水タンク１に接続されポンプにて給水タンク１から水が供給される圧力釜２と、圧力釜２内の水を加熱しスチームを発生させる電熱器２０と、圧力釜２に接続されて圧力釜２の水が排水される排水部３とを備えた理美容用スチーマにおいて、給水管４は、水を濾過する濾過部１０を備え、給水管４とは別に、圧力釜２を経由せずに給水タンク１を排水部３へ接続する接続管９を備える。これにより給水管４が止水できるので、濾過部のメンテナンスを容易に行うことができる。接続管９は、開閉弁９０を備えるものであり、開閉弁９０を開放することにて給水タンク１の水を排水部３へ直接排水する。【選択図】図１
0003184413.tif 000002
【実用新案登録請求の範囲】
【請求項１】
頭髪の処理に用いるスチームを発生させるものであって、水を収容する給水タンクと、給水管を介し前記給水タンクに接続されポンプにて前記給水タンクから水が供給される圧力釜と、前記圧力釜内の水を加熱しスチームを発生させる加熱部と、前記圧力釜に接続されて圧力釜の水が排水される排水部とを備えた理美容用スチーマにおいて、
前記給水管は、水を濾過する濾過部を備え、
前記給水タンクを空にすることにより、前記濾過部のメンテナンスを行うことができ、
前記給水管とは別に、前記圧力釜を経由せずに前記給水タンクを前記排水部へ接続する接続管を備え、
前記接続管は、開閉弁を備えるものであり、前記開閉弁を開放することにて前記給水タンクの水を排水部へ直接排水することができることを特徴とする理美容用スチーマ。
【請求項２】
前記圧力釜には、発生したスチームを圧力釜の外部へ噴射するノズルが接続されており、
前記開閉弁は、手動により前記接続管を開閉することができるものであり、
前記濾過部は、前記給水タンクと前記給水管の少なくとも一方に取り付けられ、前記給水管を前記給水タンクから外すことによって、メンテナンスを行うことができるものであることを特徴とする請求項１記載の理美容用スチーマ。
【請求項３】
雌カプラと、前記雌カプラへ着脱自在に接続される雄カプラの、雌雄のカプラを備え、
前記雌雄のカプラは、前記雄カプラを前記雌カプラへ差し込むことによって接続がロックされるソケットとプラグであり、
前記給水タンクと前記給水管の何れか一方に前記ソケットが設けられ、前記給水タンクと前記給水管の何れか他の一方を被取付部として、当該被取付部へ前記プラグが着脱自在に取り付けられ、
前記ソケットとプラグは、接続状態において前記給水タンク側から前記給水管側へ前記水を通す通路を形成し、
内部へ前後に貫通する導水路が設けられ且つ外周面に雄ネジが設けられた雄ネジ部と、内部へ前後に貫通する導水路が設けられ且つ内周面に雌ネジが設けられた雌ネジ部とを備え、
前記雄ネジ部は、前記プラグと前記被取付部の何れか一方に設けられ、前記雌ネジ部は、前記プラグと前記被取付部の他の一方に設けられており、
プラグの前記取り付けは、前記雄ネジ部を、前記雌ネジ部へ螺合することにより行うことができ、当該螺合により前記両導水路同士が連絡して水の前記通路の少なくとも一部を構成するものであり、
前記雌ネジ部と雄ネジ部の螺合状態における前記雌ネジ部の内部と前記雄ネジ部の先端との間に濾過フィルタが介され、前記濾過フィルタが前記通路にて水を濾過する前記濾過部を構成し、
前記ソケットを前記プラグから外し、次いで前記雄ネジ部を前記雌ネジ部から外すことにより、前記濾過フィルタを取り出すことができ、
前記排水部は、電磁弁を介して前記圧力釜に接続された排水タンクであり、
前記電磁弁を開くことにて前記圧力釜内の水を排水タンクへ排水することができるものであることを特徴とする請求項２記載の理美容用スチーマ。
【請求項４】
雌カプラと、前記雌カプラへ着脱自在に接続される雄カプラの、雌雄のカプラを備え、
前記雌雄のカプラは、前記雄カプラを前記雌カプラへ差し込むことによって接続がロックされるソケットとプラグであり、
前記給水タンクと前記給水管の何れか一方に前記プラグが設けられ、前記給水タンクと前記給水管の何れか他の一方を被取付部として、当該被取付部へ前記ソケットが着脱自在に取り付けられ、
前記ソケットとプラグは、接続状態において前記給水タンク側から前記給水管側へ前記水を通す通路を形成し、
内部へ前後に貫通する導水路が設けられ且つ外周面に雄ネジが設けられた雄ネジ部と、内部へ前後に貫通する導水路が設けられ且つ内周面に雌ネジが設けられた雌ネジ部とを備え、
前記雄ネジ部は、前記ソケットと前記被取付部の何れか一方に設けられ、前記雌ネジ部は、前記ソケットと前記被取付部の他の一方に設けられており、
ソケットの前記取り付けは、前記雄ネジ部を、前記雌ネジ部へ螺合することにより行うことができ、当該螺合により前記両導水路同士が連絡して水の前記通路の少なくとも一部を構成するものであり、
前記雌ネジ部と雄ネジ部の螺合状態における前記雌ネジ部の内部と前記雄ネジ部の先端との間に濾過フィルタが介され、前記濾過フィルタが前記通路にて水を濾過する前記濾過部を構成し、
前記ソケットを前記プラグから外し、次いで前記雄ネジ部を前記雌ネジ部から外すことにより、前記濾過フィルタを取り出すことができ、
前記排水部は、電磁弁を介して前記圧力釜に接続された排水タンクであり、
前記電磁弁を開くことにて前記圧力釜内の水を排水タンクへ排水することができるものであることを特徴とする請求項２記載の理美容用スチーマ。
【考案の詳細な説明】
【技術分野】
【０００１】
本願考案は、理美容用スチーマの改良に関するものである。
【背景技術】
【０００２】
理美容院での頭髪の処理において、頭髪に蒸気を当てて施術することが行われる。
例えば、頭髪へパーマ・染毛・トリートメント等の処理を行う場合において頭髪に薬剤を塗布し化学反応処理を行う際に、処理効果を高めるため、薬剤を塗布した頭髪をフードで覆った空間へ、蒸気供給装置即ち理美容用スチーマにより蒸気を送り込んで加温・加湿を行っている。
この理美容用スチーマとして、図３へ示すように、スチームにする水を収容する給水タンク１と、電熱器２０の加熱にてスチームを発生させる圧力釜２と、圧力釜２の水が排出される排水タンク３とを備えるものが利用されている。圧力釜２は、給水管４を介して給水タンク１に接続され、ポンプ５にて給水タンク１からスチームにする水の供給を受ける。圧力釜２には、スチームノズル６が接続されており、施術者が被施術者の頭髪へ、圧力釜２が発生させたスチームを噴射することができる。排水タンク３は、電磁弁７０を介して圧力釜２へ接続されており、電磁弁７０を開くことにて、圧力釜２の水を排水タンク３へ排水することができる。この例では、給水管４の途中にイオン交換樹脂８が設けられている。従来上記電磁弁７０として三方弁が用いられている。上記の給水管４は、上記ポンプ５を介して当該三方弁に接続されている。当該三方弁は、給水管４と共に圧力釜２と排水タンク３と接続されており、給水管４を圧力釜２へ連絡して上記の通り給水タンク１から圧力釜２へ水を送り、当該三方弁の作動によって、圧力釜２との連絡するタンクを排水タンク３へ切り替え圧力釜２の水を上記の通り排水タンク３に排水することができる。但し、当該三方弁は、給水管４を直接排水タンク３へ連絡するように切り替えることはできない。
上記の給水タンク１内において、給水管４への排水口に圧力釜２へ送る水を濾過用のフィルタ１５ａが設けられている。
同種の理美容用スチーマとして、特許文献１には、水浄化装置を備えたものが示されている。
【先行技術文献】
【特許文献】
【０００３】
【特許文献１】実開平６−８５６０５号公報
【考案の概要】
【考案が解決しようとする課題】
【０００４】
図３へ示す理美容用スチーマの上記の給水タンク１や同種の理美容用スチーマの給水タンクには、通常、施術者がペットボトルなどにて適宜水を補給する。
このため、給水タンク１には、髪の毛が紛れ込み易く、上記フィルタ１５ａの清掃を頻繁に行う必要がある。フィルタ１５ａの清掃に際しては、給水タンク１の水を抜いて行わなければならない。また、給水タンク1に給水された水は、使用されずに何日間も放置されると、バクテリア(細菌)が発生する為、古くなった水は排水する必要がある。
しかし、上記の三方弁は、給水管４を排水タンク３へ連絡するように切り替えることができないので、いちいち圧力釜２を経由させた後、排水タンク３へ排水を行う必要があった。特に、電磁弁７０である上記三方弁は、手動で任意に開くことができず、圧力釜２の空焚きまたは排水によるやけどを防ぐために、加熱部を停止し、圧力釜２内部のお湯が適温になった際にしか開くことができないものとなっている。水が圧力釜２にある間、給水タンク１の水を排水タンク３へ移動させることもできない。
本願考案は、給水タンク１の水を圧力釜２を経由させずに直接排水タンク３へ排水することを可能として、上記課題の解決を図る。
【課題を解決するための手段】
【０００５】
本願考案は、頭髪の処理に用いるスチームを発生させるものであって、水を収容する給水タンクと、給水管を介し前記給水タンクに接続されたポンプにて前記給水タンクから水が供給される圧力釜と、前記圧力釜内の水を加熱しスチームを発生させる加熱部と、前記圧力釜に接続されて圧力釜の水が排水される排水部とを備えた理美容用スチーマにおいて、前記給水管は、水を濾過する濾過部を備え、前記給水タンクを空にすることにより、前記濾過部のメンテナンスを行うことができ、前記給水管とは別に、前記圧力釜を経由せずに前記給水タンクを前記排水部へ接続する接続管を備え、前記接続管は、開閉弁を備えるものであり、前記開閉弁を開放することにて前記給水タンクの水を排水部へ直接排水することができる理美容用スチーマを提供する。
また、本願考案では、前記圧力釜に、発生したスチームを圧力釜の外部へ噴射するノズルが接続され、前記開閉弁は、手動により前記接続管を開閉することができるものとし、前記濾過部は、前記給水タンクと前記給水管の少なくとも一方に取り付けられ、前記給水管を前記給水タンクから外すことによって、メンテナンスを行うことができるものとした理美容用スチーマを提供できた。
更に、本願考案は、雌カプラと、前記雌カプラへ着脱自在に接続される雄カプラの、雌雄のカプラを備え、前記雌雄のカプラは、前記雄カプラを前記雌カプラへ差し込むことによって接続がロックされるソケットとプラグであり、前記給水タンクと前記給水管の何れか一方に前記ソケットが設けられ、前記給水タンクと前記給水管の何れか他の一方を被取付部として、当該被取付部へ前記プラグが着脱自在に取り付けられ、前記ソケットとプラグは、接続状態において前記給水タンク側から前記給水管側へ前記水を通す通路を形成し、内部へ前後に貫通する導水路が設けられ且つ外周面に雄ネジが設けられた雄ネジ部と、内部へ前後に貫通する導水路が設けられ且つ内周面に雌ネジが設けられた雌ネジ部とを備え、前記雄ネジ部は、前記プラグと前記被取付部の何れか一方に設けられ、前記雌ネジ部は、前記プラグと前記被取付部の他の一方に設けられており、プラグの前記取り付けは、前記雄ネジ部を、前記雌ネジ部へ螺合することにより行うことができ、当該螺合により前記両導水路同士が連絡して水の前記通路の少なくとも一部を構成するものであり、前記雌ネジ部と雄ネジ部の螺合状態における前記雌ネジ部の内部と前記雄ネジ部の先端との間に濾過フィルタが介され、前記濾過フィルタが前記通路にて水を濾過する前記濾過部を構成し、前記ソケットを前記プラグから外し、次いで前記雄ネジ部を前記雌ネジ部から外すことにより、前記濾過フィルタを取り出すことができ、前記排水部は、電磁弁を介して前記圧力釜に接続された排水タンクであり、前記電磁弁を開くことにて前記圧力釜内の水を排水タンクへ排水することができる理美容用スチーマを提供できた。
また更に本願考案は、雌カプラと、前記雌カプラへ着脱自在に接続される雄カプラの、雌雄のカプラを備え、前記雌雄のカプラは、前記雄カプラを前記雌カプラへ差し込むことによって接続がロックされるソケットとプラグであり、前記給水タンクと前記給水管の何れか一方に前記プラグが設けられ、前記給水タンクと前記給水管の何れか他の一方を被取付部として、当該被取付部へ前記ソケットが着脱自在に取り付けられ、前記ソケットとプラグは、接続状態において前記給水タンク側から前記給水管側へ前記水を通す通路を形成し、内部へ前後に貫通する導水路が設けられ且つ外周面に雄ネジが設けられた雄ネジ部と、内部へ前後に貫通する導水路が設けられ且つ内周面に雌ネジが設けられた雌ネジ部とを備え、前記雄ネジ部は、前記ソケットと前記被取付部の何れか一方に設けられ、前記雌ネジ部は、前記ソケットと前記被取付部の他の一方に設けられており、ソケットの前記取り付けは、前記雄ネジ部を、前記雌ネジ部へ螺合することにより行うことができ、当該螺合により前記両導水路同士が連絡して水の前記通路の少なくとも一部を構成するものであり、前記雌ネジ部と雄ネジ部の螺合状態における前記雌ネジ部の内部と前記雄ネジ部の先端との間に濾過フィルタが介され、前記濾過フィルタが前記通路にて水を濾過する前記濾過部を構成し、前記ソケットを前記プラグから外し、次いで前記雄ネジ部を前記雌ネジ部から外すことにより、前記濾過フィルタを取り出すことができ、前記排水部は、電磁弁を介して前記圧力釜に接続された排水タンクであり、前記電磁弁を開くことにて前記圧力釜内の水を排水タンクへ排水することができる理美容用スチーマを提供できた。
【考案の効果】
【０００６】
本願考案は、給水タンクと圧力釜とを接続する給水管とは別に、給水タンクと排水タンクとを接続する接続管を備え、当該接続管に設けられた開閉弁を開くことによって、圧力釜を経由させずに給水タンク内の水を直接排水タンクへ排水することができ、濾過部の清掃やフィルタの交換といったメンテナンスが従来よりも容易に行える。
特に、接続管の開閉弁を手動式とすることにより、電磁弁の開閉にて排水を御される圧力釜の状態と無関係に、上記メンテナンスを行うことができる。
また、上記構成の雌雄のカプラを用いることによって、複雑な濾過装置を採用することなく、濾過フィルタの取り外しが比較的簡単に行え、その清掃や交換をより一層容易なものとした。
【図面の簡単な説明】
【０００７】
【図１】本願考案の一実施の形態に係る理美容用スチーマの説明図。
【図２】（Ａ）は図１の理美容用スチーマの雌雄のカプラを接続した状態を示す要部説明図、（Ｂ）は図１の理美容用スチーマの雌雄のカプラの接続及び雄ネジ部と雌ネジ部の螺合を解除した状態を示す要部説明図。
【図３】従来の理美容用スチーマの説明図。
【考案を実施するための形態】
【０００８】
以下、図面に基づき本願考案の実施の形態を説明する。
【０００９】
（基本構成）
この理美容用スチーマは、パーマや染毛、頭髪のトリートメントといった、頭髪の処理等の理美容に用いるスチームを発生させるものであって、図１へ示すように、給水タンク１と、圧力釜２と、圧力釜２の加熱部である電熱器２０と、排水部３と、給水管４と、ポンプ５と、スチームノズル６と、排水管７と、電磁弁７０と、接続管９と、開閉弁９０と、カプラ１０と、濾過部１５（図２）とを備える。
各構成について、以下詳述する。
【００１０】
（給水タンク１）
給水タンク１は、スチームにする水を収容する。給水タンク１は、収容する水を導入する導入口を備える（図示しない）。この例では、給水タンク１の導入口は従来同様、純水または水道水をペットボトルなどの容器にて汲み入れることができるものを採用する。この他、給水タンク１は、水道の蛇口からホースにて直接水を導入することができるものとしてもよい。
【００１１】
（圧力釜２）
圧力釜２は、給水タンク１から供給される水を収容し、その内部にてスチームを発生させる。発生させたスチームは、上記スチームノズル６から外部へ噴射することができる。
【００１２】
（電熱器２０）
電熱器２０は、圧力釜２を加熱して圧力釜２内の水を上記スチームにする。この例では、電熱器２０には、カートリッジヒーターを採用している。
【００１３】
（排水部３）
排水部３に、圧力釜２の水が排出される。この例では、排水部３は、圧力釜２から排出された水を収容する排水タンクである。
【００１４】
（給水管４）
給水管４は、給水タンク１と圧力釜２とを接続し、給水タンク１の水を上記の通り圧力釜２へ供給する通路を提供する。この例では、給水管４の基端は上記カプラ１０を介して給水タンク１へ接続されており、給水管４の先端は上記電磁弁７０を介して圧力釜２へ接続されている。
また、この例では、給水管４の途中には、周知のイオン交換樹脂８が介されている。スチームにする水についてイオンの調整が不要であれば、イオン交換樹脂８は設けずに実施してもよい。
給水管４には、フレキシブルなホースを採用するのが好ましい。
【００１５】
（ポンプ５）
ポンプ５は、上記給水管４に設けられ、給水タンク１の水を圧力釜２側へ送る。
【００１６】
（スチームノズル６）
スチームノズル６は、基端側が上記圧力釜２に接続され、先端側にスチームの噴射部６０を備える柔軟なホースを備えたノズルである。スチームノズル６にはノズル開閉用電磁弁（図示しない。）が設けられている。スチームノズル６の操作にて、当該ノズル開閉用電磁弁を開き、噴射部６０を被施術者の頭髪に向けて、圧力釜２０にて発生したスチームを噴射することができる。スチームノズル６は、手持ちで噴射部６０を被施術者へ向けるものの他、椅子などに固定されたものとしても実施できる。
【００１７】
（排水管７）
排水管７は、上記圧力釜２と排水部３とを接続し、圧力釜２の水を排水部３へ排出する通路を提供する。この例では、排水管７は、上記電磁弁７０を介して圧力釜２へ接続されている。
【００１８】
（電磁弁７０） 
電磁弁７０は、周知の三方弁である。電磁弁７０は、制御部（図示しない。）の制御を受け、給水タンク１から圧力釜２へ水を供給する間、上記給水管４を開くと共に上記排水管７を閉ざす。電磁弁７０は、圧力釜２の水を排水部３へ排水する間、上記給水管４を閉ざすと共に上記排水管７を開く。
圧力釜２には水位センサ（図示しない。）が設けられており、給水タンク１から供給された水が所定量に達すると、上記制御部の制御にて電磁弁７０が作動し給水管４を閉ざす。スチームの使用後は、施術者の操作部（図示しない。）の操作にて電磁弁７０に排水管７を開かせて圧力釜２の水を排水部３へ排水することができる。
また、電磁弁７０として三方弁を採用するに代え、給水管４を開閉する弁と排水管７を開閉する弁を夫々別々の弁にて構成するものとし、各弁の開閉を制御部にて上記の通り連携するように制御するものとしても実施できる。
【００１９】
（接続管９）
接続管９は、上記給水管４及び排水管７とは別に設けられ、給水タンク１と排水部３とを直接接続する。
【００２０】
（開閉弁９０）
開閉弁９０は、上記接続管９に設けられて、上記接続管９を開閉する。開閉弁９０は、手動で開閉することができる手動式の弁である。通常、開閉弁９０は閉じられており、給水タンク１と排水部３とは遮断されている。施術者の手動操作により、上記電磁弁７０の制御とは無関係に、任意に開閉弁９０を開いて給水タンク１の水を排水部３へ排水することができる。
【００２１】
（カプラ１０）
カプラ１０は、上記給水タンク１と上記給水管４とを着脱自在に接続する。図２へ示す通り、カプラ１０は、雌カプラ１２と、雌カプラ１２へ着脱自在に接続される雄カプラ１１の、雌雄のカプラ１１，１２にて構成される。雄カプラ１１は周知のプラグであり、雌カプラ１２は雄カプラ１１が差し込まれる周知のソケットである。以下必要に応じて雄カプラ１１をプラグ１１と呼び、雌カプラ１２をソケット１２と呼ぶ。
プラグ１１をソケット１２へ差し込むことによって、接続がロックされ、プラグ１１はソケット１２から外れない。
この例では、プラグ１１は給水タンク１へ取り付けられ、ソケット１２は給水管４の基端に設けられている。
【００２２】
プラグ１１は、内部へ前後即ち図２（Ａ）（Ｂ）に示す例では上下に貫通する貫通孔を通水孔１１ａ（以下第１通水孔１１ａ）として備える筒状体である。プラグ１１の外周面には、受け部１１ｂが設けられている。受け部１１ｂは、筒状体であるプラグ１１の軸方向の他の部位よりも凹む凹部である。受け部１１ｂは、筒状体であるプラグ１１の他の部位よりも外径が小さな小径部として形成することができる。
第１通水孔１１ａ内には、プラグ１１先端の第１通水孔１１ａの開口部を開閉する弁体１１ｃ（以下第１弁体１１ｃ）と、弾力性を有する弾性部材１１ｄ（以下第１弾性部材１１ｄ）とが収容されている。第１弾性部材１１ｄは、第１弁体１１ｃを、前記開口部を閉鎖する方向に付勢する。第１弾性部材１１ｄには、バネを採用することができる。この例では、第１弾性部材１１ｄは押しバネである。第１弾性部材１１ｄの付勢を受け前記開口部を閉鎖状態にした第１弁体１１ｃの先端側の一部は、プラグ１１の前記開口部からプラグ１１の外部へ突出する（図２（Ｂ））。
【００２３】
図２（Ｂ）へ示す通り、この例では、給水タンク１は、プラグ１１の被取付部として、プラグ１１を取付ける雄ネジ部１３を備える。雄ネジ部１３は、内部へ前後即ち図２（Ａ）（Ｂ）に示す例では上下に貫通する貫通孔を導水路１３ａ（以下第１導水路１３ａ）として備える筒状体である。雄ネジ部１３は、外周面に雄ネジ１３ｂが設けられている。雄ネジ部１３の基端側が給水タンク１に設けられて第１導水路１３ａと給水タンク１とを連絡する。
プラグ１１は、雄ネジ部１３と別体に形成され、被取付部である雄ネジ部１３にて給水タンク１に取り付けられる。
プラグ１１について具体的に説明する。
【００２４】
プラグ１１の後端側には雌ネジ部１４が延設されている。雌ネジ部１４は、前後即ち図２（Ａ）（Ｂ）へ示す例では上下に貫通する貫通孔を導水路１４ａ（以下第２導水路１４ａ）として備える筒状に延設された部分である。雌ネジ部１４は、内周面に上記雄ネジ部１３の雄ネジ１３ｂと螺合することが可能な雌ネジ１４ｂが設けられている。雄ネジ１３ｂと雌ネジ１４ｂの前記螺合時、第２導水路１４ａの基端側は、上記雄ネジ部１３の収容部として、雄ネジ部１３を収容する。
プラグ１１内において、第２導水路１４ａは、上記第１通水孔１１ａに連絡する。このため上記雌ネジ１４ｂと雄ネジ１３ｂとの螺合により第２導水路１４ａ内に収容された雄ネジ部１３の上記第１導水路１３ａは、第２導水路１４ａの当該第１導水路１３ａよりも先端側の部位にて、プラグ１１の上記第１通水孔１１ａに連絡する。
【００２５】
雌ネジ部１４の前記第２導水路１４ａは、雌ネジ部１４の基部側の大径部と、雌ネジ部１４の先端側の小径部とにて構成されており、当該小径部は、大径部より第２導水路１４ａの内径が小さい。前記大径部が雄ネジ部１３を収容する上記収容部を備える。第２導水路１４ａは、前記大径部と小径部との境に、大径部と小径部の径差による段差部１４ｄを有する。
雌ネジ部１４の軸方向について前記大径部の長さは、雄ネジ部１３の軸方向の長さよりも、若干長い。このため、前記雌ネジ１４ｂと前記雄ネジ１３ｂとを螺合とし雄ネジ部１３を第２導水路１４ａの大径部へ収容した際、前記段差部１４ｄと雄ネジ部１４の先端との間に隙間が生じる。この隙間がフィルタ固定部１４ｃを構成する。上記の通り雄ネジ部１３へ雌ネジ部１４を螺合することにより、濾過フィルタ１５ａを、雄ネジ部１３の先端と上記段差部１４ｄとの間に挟んだ状態にして保持することができる。
【００２６】
ソケット１２は内部に、挿入孔１２ｅと、固定孔１２ｈと、通水孔１２ａ（以下第２通水孔１２ａ）とを備える、筒状体である。
挿入孔１２ｅは、ソケット１２の先端側即ち図２へ示す例ではソケット1２の上部側へ設けられた、プラグ１１を差し込むことができる孔である。
固定孔１２ｈは、ソケット１２の後端側即ち図２へ示す例ではソケット1２の下部側へ設けられた、給水管４を固定することができる孔である。
第２通水孔１２ａは、挿入孔１２ｅと固定孔１２ｈとを連絡する連絡孔である。
【００２７】
挿入孔１２ｅには、挿入孔１２ｅの径内方向へ突出する部位を備えたロック部が設けられている。ロック部は、差し込まれたプラグ１１の上記受け部１１ｂに受容されて、プラグ１１とソケット１２の接続を上記の通りロックする。この例では、ロック部は、挿入孔１２ｅ内周面から筒状体であるソケット１２の外周面へ通じる口と、当該口内に挿入されたボール１２ｂと、ソケット１２の外周面に装着されてソケット１２の外周面から前記ボール１２ｂが脱落しないようにボール１２ｂを押さえる短筒１２ｆと、短筒１２ｆをソケット１２の先端側から脱落しないようにソケット１２の後方側へ付勢する弾性部材１２ｇ（以下第３弾性部材１２ｇ）とにて構成される。第３弾性部材１２ｇには、バネを採用することができる。この例では、第３弾性部材１２ｇは引きバネである。ボール１２ｂの径は、上記口の内径よりも大きく、ソケット１２の外側から上記口へ配置されたボール１２ｂは、挿入孔１２ｅ内に突出するも上記口から挿入孔１２ｅ内に落ち込むことはない。当該ボール１２ｂが短筒１２ｆの内周面に押されて挿入孔１１ｅ内に差し込まれたプラグ１１の前記受け部１１ｂへ入り、プラグ１１とソケット１２の接続がロックされる。
上記短筒１２ｆの上記ボール１２ｂを押さえる部位を押え部として、短筒１２ｆの当該押え部よりも後方に、当該押え部よりも内径が大きい逃がし部１２ｉが設けられている。
プラグ１１とソケット１２の接続を解除する場合、第３弾性部材１２ｇの付勢に抗して、短筒１２ｆをソケット１２の後端側へスライドさせることにより、ボール１２ｂを逃がし部１２ｉへ逃がし受け部１１ｂからボール１２ｂを後退させることができる（図示しない）。
【００２８】
挿入孔１２ｅの奥は、プラグ１１の先端と対面する底を備える。当該底に上記第２通水孔１２ａと挿入孔１２ｅとを連絡する連絡口が設けられている。即ち、上記第２通水孔１２ａの上記挿入孔１２ｅとの連絡口は、挿入孔１２ｅの内径よりも小さく、前記底の挿入孔１２ｅを取り囲む部分が、上記の通りプラグ１１の先端と対面する。
第２通水孔１２ａ内には、当該連絡口を開閉する弁体１２ｃ（以下第２弁体１２ｃ）と、弾力性を有する弾性部材１２ｄ（以下第２弾性部材１２ｄ）とが収容されている。第２弾性部材１２ｄは、第２弁体１２ｃを、前記連絡口を閉鎖する方向に付勢する。第２弾性部材１２ｄには、バネを採用することができる。この例では、第２弾性部材１２ｄは押しバネである。第２弾性部材１２ｄの付勢を受け前記連絡口を閉鎖状態にした第２弁体１２ｂの先端側の一部は、前記連絡口から挿入孔１１ｅ内へ突出する（図２（Ｂ））。
【００２９】
（濾過部１５）
濾過部１５は、この例では、前記フィルタ固定部１４ｃと、濾過フィルタ１５ａとにて構成される。
濾過フィルタ１５ａは、給水タンク１中の水に混入した毛髪などのゴミを濾過する。濾過フィルタ１５ａは、上記雌ネジ部１４を雄ネジ部１３から外すことにより、フィルタ固定部１４ｃから出し入れすることができる。
この例では、図２（Ｂ）へ示す通り、濾過フィルタ１５ａは、前記導水路１３ａ内へ挿入される挿入部１５ｂと、挿入部１５ｂの径及び導水路１３ａの径より大きな外径を備えた鍔部１５ｃとを備える。濾過フィルタ１５ａの挿入部１５ｂを導水路１３ａ内へ挿入し、鍔部１５ｂをフィルタ固定部１４ｃへ配置する即ち鍔部１５ｂを前記雄ネジ部１３の先端と前記段差部１４ｄとの間に挟むことにより、濾過フィルタ１５ａをカプラ（ソケット１１）へ取り付けることができる。
濾過フィルタ１５ａには、清掃により繰り返し使えるものを採用しても、使い捨てのものを採用しても、いずれでも実施可能である。
この他濾過部１５において、濾過フィルタ１５ａはフィルタ固定部１４ｃから取り外せないものとし、プラグ１１とソケット１２とを分離した際、雌ネジ部１４から雄ネジ部１３を外すことにより濾過フィルタ１５ａを露出させた状態にしてプラグ１１へ固定したまま、清掃を行うものとしても実施できる。
【００３０】
（運用時）
図２（Ａ）へ示すように、この理美容用スチーマを使用する際、プラグ１１をソケット１２へ差し込んでロックし、プラグ１１とソケット１２とを接続状態としておく。
プラグ１１とソケット１２の接続状態において、第１弁体１１ｃと第２弁体１２ｃとは押し合い、第１弾性部材１１ｄと第２弾性部材１２ｄの付勢に抗して互いに後退し、夫々上記開口部と上記連絡口とを開放し、第１通水孔１１ａと第２通水孔子１２ａを連絡する。プラグ１１とソケット１２の当該接続状態において、施術者の前記操作部の操作により、スチームの使用準備を開始することができる。具体的には、当該準備開始の操作によって、制御部の指令により、電磁弁７０は、給水管４を開き、ポンプ５が作動する。ポンプ５の作動によって、給水タンク１の水は、給水管４を通じて圧力釜２に送られる。電磁弁７０は、圧力釜２への給水中、排水管７を閉ざしている。上記水位センサが圧力釜２内に所定量の水が溜まったことを検出すると、制御部は、ポンプ５を停止し電磁弁７０にて給水管４を閉ざし、電熱器２０に圧力釜２を加熱させる。このとき電磁弁７０は排水管７を閉じたままとしている。圧力釜２には、圧力センサが備えられており、圧力センサが圧力釜２内にて使用するに適したスチームの発生の圧力に達したことを検出すると、上記操作部などに設けられたインジケータ（図示）にて施術者にその旨表示する。制御部は、電熱器２０の稼働を制御して、上記圧力を維持する。
施術者は、上記インジケータの表示を受けて、スチームノズル６の操作にて被施術者の頭髪へスチームを噴射し頭髪の処理を行うことができる。
頭髪へのスチームの噴射が完了すると、施術者は上記操作部の操作により、電熱器２０の稼働を停止させる。電熱器２０の稼働停止後、施術者による操作部の操作又は制御部により自動的に電磁弁７０が、排水管７を開き、圧力釜２内の水は排水管７を通じて排水部３へ排水される。
【００３１】
（メンテナンス時）
濾過部１５のメンテナンスを行うとき、接続管９の開閉弁９０をメンテナンス作業者が手動で開いて、排水タンク１の水を接続管９を通じて直接排水部３へ排出し、給水タンク１を空にする。開閉弁９０の手動操作により、上記制御部による電磁弁７０の制御に拘わらず、即ち、圧力釜２の水の収容状態に拘わらず、給水タンク１の水を排水部３へ排水することができ、メンテナンスの必要に応じて直ちに給水タンク１を空にすることができる。
給水タンク１が空になると、上記短筒１２ｆのスライドにより上記ロック部のロックを解除してプラグ１１をソケット１２から分離する。次いで雌ネジ部１４を回して雄ネジ部１３から雌ネジ部１４を外して、濾過フィルタ１５ａをフィルタ固定部１４ｃから取り出す。取り出した濾過フィルタ１５ａを、清掃し或いは新しいものと交換して、フィルタ固定部１４ｃへ嵌め、雄ネジ部１３の雄ネジ１３ｂへ雌ネジ部１４の雌ネジ１４ｂを螺合し、雄ネジ部１３を雌ネジ部１４の収容部１４ａ内に収容する。その後、プラグ１１をソケット１２へ再び接続する。
【００３２】
（変更例）
カプラ１０のプラグ１１とソケット１２即ち雌雄のカプラ１１，１２は、夫々弁体を備える両路開閉形のものを例示した。但し、濾過フィルタ１５ａのメンテナンスを行う際には、給水タンク１を空にするので、給水管４に取り付けられるカプラ（図２示す例ではソケット１２）のみ弁体（第２弁体１２ｃ）を備えるものとし、給水タンク１側に設けられるカプラ（図２へ示す例ではプラグ１１）は、弁体（第１弁体１１ｃ）を備えない片路開閉形のものとしてもよい。また、雌雄のカプラ１１，１２は、何れも弁体を備えない両路開放形のものとしてもよい。
図示した例では、雄ネジ部１３が給水タンク１に設けられ、雌ネジ部１４がプラグ１１へ設けられるものとした。この他、雌ネジ部１４が給水タンク１に設けられ、雄ネジ部１３がプラグ１１へ設けられるものとしても実施できる。
また、図１へ示すソケット１２が給水タンク１へ設けられ、プラグ１１が給水管４に着脱自在に取り付けられるものとしても実施できる。即ち、給水管４に上記図２の雄ネジ部が設けられ、上記の雌ネジ部を備えたプラグ１１が着脱自在に給水管４へ取り付けられるものとしても実施でき、給水管４に上記の雌ネジ部が設けられ、上記の雄ネジ部を備えたプラグ１１が着脱自在に給水管４へ取り付けられるものとしても実施できる。
更に、プラグ１１が給水管４に設けられ、ソケット１２が給水タンク１へ着脱自在に取り付けられるものとしても実施できる。即ち、給水タンク１に図１の上記雄ネジ部が設けられ、上記の雌ネジ部を備えたソケット１２が着脱自在に給水タンク１へ取り付けられるものとしても実施でき、給水タンク１に上記の雌ネジ部が設けられ、上記の雄ネジ部を備えたソケット１２が着脱自在に給水タンク１へ取り付けられるものとしても実施できる。
また更にプラグ１１とソケット１２の何れもが、図１へ示す雄ネジ部と雌ネジ部による螺合構造にて、給水タンク１と給水管４に対して着脱自在に取り付けられるものとしても実施できる。このように２つの螺合構造を設ける場合、螺合構造の双方が上記フィルタ固定部１４ｃを備えるものとしてもよい。
【符号の説明】
【００３３】
１    給水タンク
２    圧力釜
３    排水部
４    給水管
５    ポンプ
６    スチームノズル
７    排水管
８    イオン交換樹脂
９    接続管
１１    雄カプラ（プラグ）
１２    雌カプラ（ソケット）
１５    濾過部
２０    電熱器
７０    電磁弁
９１    開閉弁
【図１】
0003184413.tif 000003
【図２】
0003184413.tif 000004
【図３】
0003184413.tif 000005